(57)【特許請求の範囲】
【請求項１】
車体に穿設した取付孔に挿通できる係止部材に下方から頭部付きの取付ネジを嵌挿し、アンテナベースに下方から前記取付ネジの先端部を螺入し、前記係止部材は、周縁部から上方に向けて複数の突起を突出し、前記突起を開口用腕部とするとともに前記突起の中央部分に上側を遊端部とする略コ字状の切り込みを設けて前記遊端部を係止爪とし、前記開口用腕部の前記切り込みの下端位置またはその少し上方に第１関節部を設けて断面が内側にく字状となるように折り曲げ、前記開口用腕部の上部に第２関節部を設けて断面が外側にく字状となるように折り曲げ、前記アンテナベースに前記開口用腕部の上端部を挿入して上方と内方および外方への移動を規制する係止溝を設け、前記取付ネジの締め付け螺入により前記開口用腕部の前記上端部が前記係止溝に挿入されるとともに前記第１関節部および第２関節部の断面のく字状がより深く折り曲げられることで前記突起の下部分を拡げ、この下部分が一体の前記係止爪の先端を外方に拡げて前記取付孔の周縁部に臨むように構成したことを特徴とするアンテナ取付装置。
【請求項２】
車体に穿設した取付孔に挿通できる係止部材に下方から頭部付きの取付ネジを嵌挿し、アンテナベースに下方から前記取付ネジの先端部を螺入し、前記係止部材は、周縁部から上方に向けて複数の突起を突出し、前記突起を下部分が一体で上部分が縦に２つに分割し、前記上部分の２つに分割した一方を開口用腕部とするとともに他方を前記開口用腕部より上方への長さが短い係止爪とし、前記開口用腕部の前記一体となる位置またその少し上方に第１関節部を設けて断面が内側にく字状となるように折り曲げ、前記開口用腕部の上部に第２関節部を設けて断面が外側にく字状となるように折り曲げ、前記アンテナベースに前記開口用腕部の上端部を挿入して上方と内方および外方への移動を規制する係止溝を設け、前記取付ネジの締め付け螺入により前記開口用腕部の前記上端部が前記係止溝に挿入されるとともに前記第１関節部および第２関節部の断面のく字状がより深く折り曲げられることで前記突起の下部分を拡げ、この下部分が一体の前記係止爪の先端を外方に拡げて前記取付孔の周縁部に臨むように構成したことを特徴とするアンテナ取付装置。
【請求項３】
請求項１または２記載のアンテナ取付装置において、前記第１関節部および第２関節部を、肉厚を薄くする折り曲げ用溝を設けて構成したことを特徴とするアンテナ取付装置。
【請求項４】
請求項１または２記載のアンテナ取付装置において、前記突起の一体の前記下部分から前記係止爪に渡ってリブを設けて、前記突起の前記下部分に対して前記係止爪が折れ曲がりにくく構成したことを特徴とするアンテナ取付装置。
【請求項５】
請求項１または２記載のアンテナ取付装置において、前記係止爪の上端部を、上方が凸状に尖った形状に構成したことを特徴とするアンテナ取付装置。
【発明の詳細な説明】
【技術分野】
【０００１】
本発明は、車体のルーフ等にアンテナベースを取り付けるアンテナ取付装置に関するものである。
【背景技術】
【０００２】
自動車用アンテナ装置を車体のルーフ等に取り付ける従来のアンテナ取付装置の構造の一例として、特開２００６−３４５２４５号公報に示されたものがある。この従来構造は、ルーフ等に穿設した取付孔に挿通できる係止部材に下方から頭部付きの取付ネジを嵌挿し、アンテナベースに下方から取付ネジの先端部を螺入し、取付ネジの螺入に伴い、係止部材の開口用腕部が折れ曲がり、この折れ曲がりによって係止部材の係止爪の先端を外方に拡げて取付孔の周縁部に臨ませ、ルーフ等の裏面に当接させてさらに食い込ませることで、係止部材を介してルーフ等とアンテナベースの電気的接続が確保されるように構成したものがある。
【特許文献１】特開２００６−３４５２４５号公報
【発明の開示】
【発明が解決しようとする課題】
【０００３】
上記特許文献１に示された従来技術にあっては、開口用腕部の上端がアンテナベースに設けた当接部に当接して、上方と内方への移動が規制されているので、取付ネジの螺入で開口用腕部のく字状の折れ曲がりがさらに強く折れ曲げられる。そこで、アンテナベースに、車体等の取付孔に対してその取付位置を相対的にずらすような大きな力が外方から作用すると、開口用腕部の上端がその位置を規制している当接部から離れる虞があり、これに伴い係止爪の先端がさらに拡がり、ルーフ等への食い込みがなくなって、電気的接続が遮断される可能性がある。
【０００４】
本発明は、上述のごとき事情に鑑みてなされたもので、アンテナベースに、車体等の取付孔に対してその取付位置を相対的にずらすような大きな力が外方から作用しても、係止爪の先端がさらに拡がることがなく、電気的接続が確実に維持され得るアンテナ取付装置を提供することを目的とする。
【課題を解決するための手段】
【０００５】
かかる目的を達成するために、本発明のアンテナ取付装置は、車体に穿設した取付孔に挿通できる係止部材に下方から頭部付きの取付ネジを嵌挿し、アンテナベースに下方から前記取付ネジの先端部を螺入し、前記係止部材は、周縁部から上方に向けて複数の突起を突出し、前記突起を開口用腕部とするとともに前記突起の中央部分に上側を遊端部とする略コ字状の切り込みを設けて前記遊端部を係止爪とし、前記開口用腕部の前記切り込みの下端位置またはその少し上方に第１関節部を設けて断面が内側にく字状となるように折り曲げ、前記開口用腕部の上部に第２関節部を設けて断面が外側にく字状となるように折り曲げ、前記アンテナベースに前記開口用腕部の上端部を挿入して上方と内方および外方への移動を規制する係止溝を設け、前記取付ネジの締め付け螺入により前記開口用腕部の前記上端部が前記係止溝に挿入されるとともに前記第１関節部および第２関節部の断面のく字状がより深く折り曲げられることで前記突起の下部分を拡げ、この下部分が一体の前記係止爪の先端を外方に拡げて前記取付孔の周縁部に臨むように構成されている。
【０００６】
また、車体に穿設した取付孔に挿通できる係止部材に下方から頭部付きの取付ネジを嵌挿し、アンテナベースに下方から前記取付ネジの先端部を螺入し、前記係止部材は、周縁部から上方に向けて複数の突起を突出し、前記突起を下部分が一体で上部分が縦に２つに分割し、前記上部分の２つに分割した一方を開口用腕部とするとともに他方を前記開口用腕部より上方への長さが短い係止爪とし、前記開口用腕部の前記一体となる位置またその少し上方に第１関節部を設けて断面が内側にく字状となるように折り曲げ、前記開口用腕部の上部に第２関節部を設けて断面が外側にく字状となるように折り曲げ、前記アンテナベースに前記開口用腕部の上端部を挿入して上方と内方および外方への移動を規制する係止溝を設け、前記取付ネジの締め付け螺入により前記開口用腕部の前記上端部が前記係止溝に挿入されるとともに前記第１関節部および第２関節部の断面のく字状がより深く折り曲げられることで前記突起の下部分を拡げ、この下部分が一体の前記係止爪の先端を外方に拡げて前記取付孔の周縁部に臨むように構成しても良い。
【０００７】
そして、前記第１関節部および第２関節部を、肉厚を薄くする折り曲げ用溝を設けて構成することも可能である。
【０００８】
また、前記突起の一体の前記下部分から前記係止爪に渡ってリブを設けて、前記突起の前記下部分に対して前記係止爪が折れ曲がりにくく構成することも可能である。
【０００９】
さらに、前記係止爪の上端部を、上方が凸状に尖った形状に構成することも可能である。
【発明の効果】
【００１０】
請求項１および２記載のいずれのアンテナ取付装置にあっても、開口用腕部の上端部がアンテナベースに設けた係止溝に挿入されて外方への相対的な移動が規制されているので、アンテナベースに取付孔に対してその相対的な取付位置をずらすような大きな力が外方から作用しても、開口用腕部の上端部はアンテナベースから離れることなくその相対的な位置が変化せず、その姿勢が維持されて、係止爪がさらに開くようなことがない。もって、車体等への係止爪の食い込みが維持できて、電気的接続が確実に維持され得る。
【００１１】
請求項３記載のアンテナ取付装置にあっては、肉厚を薄くする折り曲げ用溝を設けて第１関節部および第２関節部を構成しているので、取付ネジの締め付けにより第１関節部と第２関節部の位置で確実に折り曲げることができる。しかも、第１関節部と第２関節部を折り曲げる力が小さくて足り、取付ネジの締め付けが容易である。
【００１２】
請求項４記載のアンテナ取付装置にあっては、係止部材の周縁部から突出させた突起の一体の下部分から係止爪に渡ってリブを設けているので、このリブによる機械的強度の増強で、突起の下部分に対して係止爪が折れ曲がり難く、車体等に確実に食い込むことができる。
【００１３】
請求項５記載のアンテナ取付装置にあっては、係止爪の上端部が上方に凸状に尖った形状であるので、車体の塗装面を容易に破って板金にまで確実に食い込むことができる。
【発明を実施するための最良の形態】
【００１４】
以下、本発明の第１実施例を図１ないし図８を参照して説明する。図１は、本発明のアンテナ取付装置の第１実施例を分解した正面図である。図２は、本発明のアンテナ取付装置の第１実施例で用いる係止部材の平面図である。図３は、図２の係止部材の開口用腕部の部分を拡大した正面図である。図４は、図１に示す第１実施例のアンテナ取付装置を取付孔に上方から挿入して取付ネジを締め付けていない状態の正面図である。図５は、図１に示す第１実施例のアンテナ取付装置を取付孔に上方から挿入して取付ネジを締め付け螺入させて、係止爪を車体に食い込ませた状態の正面図である。図６は、図４の状態の縦断面図である。図７は、図４から図５への取付ネジの締め込み螺入の途中の状態の縦断面図である。図８は、図５の状態の縦断面図である。
【００１５】
本発明のアンテナ取付装置の第１実施例において、アンテナベース１０は、従来のアンテナ取付装置と同様に、その上側に図示しないケースが設けられ、このケース内に増幅回路等が適宜に収容配設され、またケースに図示しないアンテナエレメントの基端部が固定される。そして、アンテナベース１０の下側には、図示しないゴムパッキン部材が配設されて、車体１２に当接されて取付孔１２ａに配置される。
【００１６】
そして、アンテナベース１０は、導電金属で形成され、下面に平面が略正方形でその四隅が面取されたごとき形状の凸部１０ａが設けられ、この凸部１０ａの中央に外形が円柱状の円柱部１０ｂが設けられ、その中央で上下方向に雌ネジ１０ｃが螺設される。また、凸部１０ａの略正方形の４つの側方の周面に、下端面から上方に途中まで設けた規制溝１０ｄ、１０ｄ…が設けられ、この規制溝１０ｄ、１０ｄ…の上端面に、さらに上方に深く穿設された係止溝１０ｅ、１０ｅ…が設けられる。
【００１７】
また、本発明のアンテナ取付装置の第１実施例の係止部材２０は、導電金属板で形成され、下側に円形の底部を有し、この底部の周縁部から上方に向けて４つの突起を突出させ、これらの突起の中央部が、下側が突起に連結され上側が遊端部となるように略コ字状の切り込みが入れられて、この遊端部が係止爪２０ａ、２０ａ…とされ、その先端が上方に凸状に尖って形成される。突起は、開口用腕部２０ｂ、２０ｂ…とされ、略コ字状の切り込みの下端位置またはそれより少し上方の位置で内面側に肉厚を薄くする折り曲げ用溝を形成して第１関節部２０ｃ、２０ｃ…を設け、この第１関節部２０ｃ、２０ｃ…を折れ線として内側にく字状に少し折れ曲げる。さらに、開口用腕部２０ｂ、２０ｂ…の上部に外面側に肉厚を薄くする折り曲げ用溝を形成して第２関節部２０ｄ、２０ｄ…を設け、この第２関節部２０ｄ、２０ｄ…を折れ線として外側にく字状に少し折れ曲げる。そして、底部の中央には、取付ネジ挿通孔２０ｅが穿設される。かかる形状の係止部材２０は、アンテナベース１０の凸部１０ａの平面寸法を超えないように設定されている。また、アンテナベース１０の凸部１０ａの周面に設けられる規制溝１０ｄ、１０ｄ…に、開口用腕部２０ｂ、２０ｂ…が幅方向寸法でほぼ嵌合されるように挿入されて、取付ネジ１８の締め付け回転方向への移動が規制されるように設定される。さらに、アンテナベース１０の係止溝１０ｅ、１０ｅ…に、開口用腕部２０ｂ、２０ｂ…の上端部が挿入されて、その上端部が上方と内方および外方への移動が規制されるように設定される。また、突起の略コ字状の切り込みの下端位置より下側の一体化されている下部分から上方の係止爪２０ａ、２０ａ…に渡って、打ち出しによるリブ２０ｆ、２０ｆ…を設けて、係止爪２０ａ、２０ａ…の折り曲げ強度を大きなものとしている。
【００１８】
さらに、取付ネジ１８は、導電金属で形成され、平面六角形の頭部１８ａを備え、この頭部１８ａのネジ棒側に、フランジ部１８ｂが形成される。
【００１９】
アンテナの取付にあっては、アンテナベース１０と係止部材２０および取付ネジ１８が、車体１２の取付孔１２ａに組み付けられる。まず、係止部材２０の取付ネジ挿通孔２０ｅに、下方から取付ネジ１８を挿通し、取付ネジ１８の先端部をアンテナベース１０の雌ネジ１０ｃに螺入させて一体化される。ここで、取付ネジ１８を適宜な長さだけ螺入させると、係止部材２０の開口用腕部２０ｂ、２０ｂ…の上端部が、アンテナベース１０に設けた係止溝１０ｅ、１０ｅ…の上端面に当接する。かかる状態では、係止溝１０ｅ、１０ｅ…により開口用腕部２０ｂ、２０ｂ…の上端部が上方と内方および外方のいずれにも移動が規制され、また規制溝１０ｄ、１０ｄ…により開口用腕部２０ｂ、２０ｂ…が取付ネジ１８の締め付け回転方向への移動が規制される。
【００２０】
かかる一体化されたアンテナベース１０と係止部材２０および取付ネジ１８を、車体１２に穿設された取付孔１２ａに、図４に示すごとく、上方から挿入する。この取付孔１２ａは、アンテナベース１０の凸部１０ａの平面寸法より僅かに大きな寸法に設定されている。かかる状態にあっては、図６に示すごとく、係止爪２０ａ、２０ａ…は、拡がっていない。そして、かかる状態から、取付ネジ１８を締め付けると、まず図７に示すごとく、係止溝１０ｅ、１０ｅ…の上端面により、係止部材２０の開口用腕部２０ｂ、２０ｂ…の上端部が上方への移動を規制されるため、開口用腕部２０ｂ、２０ｂ…には上方からの圧縮方向の力が作用する。ここで、開口用腕部２０ｂ、２０ｂ…の上端部は、係止溝１０ｅ、１０ｅ…により内方および外方への移動が規制されているので、第１関節部２０ｃ、２０ｃ…および第２関節部２０ｄ、２０ｄ…の断面く字状の折れ曲がりがさらに強く折れ曲がり、係止部材２０の突起が拡げられる。この突起の拡がりに伴い、下部分が一体化されて形成された係止爪２０ａ、２０ａ…も拡げられ、その先端部が取付孔１２ａの周縁部に臨む状態となる。さらなる取付ネジ１８の締め付けにより、図８に示すごとく、開口用腕部２０ｂ、２０ｂ…は第１関節部２０ｃ、２０ｃ…および第２関節部２０ｄ、２０ｄ…の断面く字状の折れ曲がりがさらに一層強く折れ曲がり、係止部材２０の突起がさらに拡げられる。この突起のさらなる拡がりに伴い、係止爪２０ａ、２０ａ…もさらに拡げられ、その先端部も取付孔１２ａのさらに外側の周縁部に臨むとともに尖った先端部が車体１２の裏面の塗装面を破って板金に食い込む。最終的には、係止部材２０の底部がアンテナベース１０の円柱部１０ｂの下端面と取付ネジ１８のフランジ部１８ｂに挟まれて、これ以上の取付ネジ１８の締め付け螺入ができない状態となる。この取付ネジ１８の締め付け螺入ができない状態となる前の適宜な状態で、係止爪２０ａ、２０ａ…の先端が取付孔１２ａの周縁部の車体１２の裏面に当接して食い込むように設定することは勿論である。この係止爪２０ａ、２０ａ…の先端が車体１２に食い込むためには、係止爪２０ａ、２０ａ…が容易に折れ曲がれない必要がある。そこで、リブ２０ｆ、２０ｆ…を設けたことで、係止爪２０ａ、２０ａ…の機械的強度が増大して、食い込みが良くなる。また、係止爪２０ａ、２０ａ…の先端を尖らせることでも、食い込みが良くなる。
【００２１】
かかる構成の第１実施例にあっては、係止爪２０ａ、２０ａ…が車体１２に食い込んだ締め付け状態においても、開口用腕部２０ｂ、２０ｂ…の上端部はアンテナベース１０の係止溝１０ｅ、１０ｅ…により上方と内方および外方のいずれにも移動が規制されている。そこで、アンテナベース１０に車体１２の取付孔１２ａに対してその取付位置を相対的にずらすような大きな力が外方から作用しても、アンテナベース１０に対して開口用腕部２０ｂ、２０ｂ…の上端部の相対的な位置が変化せず、開口用腕部２０ｂ、２０ｂ…の強く折り曲げられた状態の姿勢が変化せずに維持される。そこで、係止爪２０ａ、２０ａ…の姿勢も変化せず、係止爪２０ａ、２０ａ…がさらに開いて車体１２への食い込みがなくなるようなことがない。したがって、係止部材２０を介しての車体１２とアンテナベース１０の電気的接続が確実に維持され得る。
【００２２】
次に、本発明の第２実施例を図９を参照して説明する。図９は、本発明のアンテナ取付装置の第２実施例で用いる係止部材の正面図である。図９において、図１ないし図８と同じまたは均等な部材には同じ符号を付けて重複する説明を省略する。
【００２３】
第２実施例で用いる係止部材４０は、導電金属板で形成され、下側に円形の底部を有し、この底部の周縁部から上方に向けて４つの突起を突出させ、これらの突起に上縁部から下方に向けて途中までの切り込みが設けられ、下部分が一体で上部分が縦割りで２つに分割される。この２つに分割された一方を係止爪４０ａとし、他方が開口用腕部４０ｂとされる。係止爪４０ａは先端が上方に凸状に尖って形成され、また上方への長さは、開口用腕部４０ｂの長さより短く設定される。そして、開口用腕部４０ｂは、切り込みの下端位置またはそれより少し上方の位置で内面側に肉厚を薄くする折り曲げ用溝を設けて第１関節部４０ｃ、４０ｃ…を設け、この第１関節部４０ｃ、４０ｃ…を折れ線として内側にく字状に少し折れ曲げる。さらに、開口用腕部４０ｂ、４０ｂ…の上部に外面側に肉厚を薄くする折り曲げ用溝を設けて第２関節部４０ｄ、４０ｄ…を設け、この第２関節部４０ｄ、４０ｄ…を折れ線として外側にく字状に少し折れ曲げる。係止部材４０の底部の中央には、第１実施例と同様に、取付ネジ挿通孔が穿設され、係止部材４０の平面寸法がアンテナベース１０の凸部１０ａの平面寸法を超えないように設定されている。なお、アンテナベース１０の凸部１０ａの周面に設けられる規制溝１０ｄ、１０ｄ…および開口用腕部４０ｂ、４０ｂ…の上端部が挿入される係止溝１０ｅ、１０ｅ…は、第２の実施例の係止部材４０に応じて適宜に設けることは勿論である。さらに、切り込みの下端位置より下側の一体化されている下部分から上方の係止爪４０ａ、４０ａ…に渡って、打ち出しによるリブ４０ｆ、４０ｆ…を設けて、係止爪４０ａ、４０ａ…の折り曲げ強度を大きなものすることも、第１実施例と同様である。
【００２４】
なお、上記第１実施例および第２実施例のいずれにあっても、係止爪２０ａ、２０ａ…、４０ａ、４０ａ…は、それぞれに４本設けられているが、係止爪の本数はこれに限られるものでない。アンテナベース１０を車体１２に電気的導通させるためには係止爪は１本以上あれば良い。そして、取付孔１２ａの周縁部に略均等分割位置に当接するように３本以上の係止爪が設けられれば、係止爪が車体１２の裏面に当接して食い込む際に、車体１２に対してアンテナベース１０を傾かせるように回動させる方向の力を作用させることなく固定させることができ、車体１２に歪みを生じさせる虞がない。また、係止爪２０ａ、２０ａ…、４０ａ、４０ａ…により、アンテナベース１０を車体１２に電気的導通させる必要がないならば、係止部材２０、４０は導電性である必要はなく適宜に塑性変形できるものであれば良い。
【図面の簡単な説明】
【００２５】
【図１】本発明のアンテナ取付装置の第１実施例を分解した正面図である。
【図２】本発明のアンテナ取付装置の第１実施例で用いる係止部材の平面図である。
【図３】図２の係止部材の開口用腕部の部分を拡大した正面図である。
【図４】図１に示す第１実施例のアンテナ取付装置を取付孔に上方から挿入して取付ネジを締め付けていない状態の正面図である。
【図５】図１に示す第１実施例のアンテナ取付装置を取付孔に上方から挿入して取付ネジを締め付け螺入させて、係止爪を車体に食い込ませた状態の正面図である。
【図６】図４の状態の縦断面図である。
【図７】図４から図５への取付ネジの締め込み螺入の途中の状態の縦断面図である。
【図８】図５の状態の縦断面図である。
【図９】本発明のアンテナ取付装置の第２実施例で用いる係止部材の正面図である。
【符号の説明】
【００２６】
１０  アンテナベース
１０ａ  凸部
１０ｂ  円柱部
１０ｃ  雌ネジ
１０ｄ  規制溝
１０ｅ  係止溝
１２  車体
１２ａ  取付孔
１８  取付ネジ
１８ａ  頭部
１８ｂ  フランジ部
２０、４０  係止部材
２０ａ、４０ａ  係止爪
２０ｂ、４０ｂ  開口用腕部
２０ｃ、４０ｃ  第１関節部
２０ｄ、４０ｄ  第２関節部
２０ｅ  取付ネジ挿通孔
【図１】
0004919292.tif 000002
【図２】
0004919292.tif 000003
【図３】
0004919292.tif 000004
【図４】
0004919292.tif 000005
【図５】
0004919292.tif 000006
【図６】
0004919292.tif 000007
【図７】
0004919292.tif 000008
【図８】
0004919292.tif 000009
【図９】
0004919292.tif 000010